(57)【要約】  本発明の目的は、かごの内側の空間に投光部を設ける必要がないエレベーター（１）の盗撮防止装置（１０）を提供することである。盗撮防止装置（１０）は、投光部（１２）と、誘導部（１５）と、を備える。投光部（１２）は、かご扉（９）または戸当たり部に設けられる。投光部（１２）は、戸閉方向に赤外線を出力する。誘導部（１５）は、かご扉（９）が閉じているときに赤外線をかご（５）の内側に誘導する。これにより、盗撮防止装置（１０）において、投光部（１２）はかご（５）の内側の空間に設けられる必要がない。
2019224926.tif 000002
【特許請求の範囲】
【請求項１】
エレベーターのかご扉の戸閉方向の側の端部に設けられ、前記戸閉方向の側にパルスとして赤外線を出力する投光部と、
前記投光部より前記戸閉方向の側に設けられ、前記かご扉が閉じているときに前記赤外線をかごの内側に誘導する誘導部と、
を備えるエレベーターの盗撮防止装置。
【請求項２】
エレベーターのかご扉の戸閉方向の側の端部に前記かご扉が閉じるときに当たる戸当たり部に設けられ、前記戸閉方向の反対側にパルスとして赤外線を出力する投光部と、
前記投光部より前記戸閉方向の反対側に設けられ、前記かご扉が閉じているときに前記赤外線をかごの内側に誘導する誘導部と、
を備えるエレベーターの盗撮防止装置。
【請求項３】
前記投光部は、ランダムまたは擬似ランダムなパルスとして前記赤外線を出力する請求項１または請求項２に記載のエレベーターの盗撮防止装置。
【請求項４】
前記投光部に対して前記投光部が前記赤外線を出力する側に設けられ、前記かご扉が開いているときに前記赤外線の受光の状態によって前記投光部との間の物体の有無を検知する受光部
を備え、
前記誘導部は、前記かご扉が開いているときに前記赤外線を前記かごの内側に誘導しない請求項１から請求項３のいずれか一項に記載のエレベーターの盗撮防止装置。
【請求項５】
前記誘導部は、前記赤外線を反射可能な反射板を備え、前記かご扉が閉じるときに前記受光部および前記投光部の間で押されることで、前記赤外線を前記かごの内側に反射させる向きに前記反射板を回転させる請求項４に記載のエレベーターの盗撮防止装置。
【請求項６】
前記反射板は、前記赤外線を反射させるときに前記赤外線を拡散させる請求項５に記載のエレベーターの盗撮防止装置。
【請求項７】
前記誘導部は、下方を含む方向に向けて前記赤外線を誘導する請求項１から請求項６のいずれか一項に記載のエレベーターの盗撮防止装置。
【請求項８】
前記かごの内側の面の少なくとも一部に設けられ、前記赤外線を反射可能な反射部
を備える請求項１から請求項７のいずれか一項に記載のエレベーターの盗撮防止装置。
【発明の詳細な説明】
【技術分野】
【０００１】
本発明は、エレベーターの盗撮防止装置に関する。
【背景技術】
【０００２】
特許文献１に盗撮防止装置の例が記載されている。盗撮防止装置は、投光部を備える。投光部は、パルスとして赤外線を出力することで、盗撮される画像にノイズを発生させる。
【先行技術文献】
【特許文献】
【０００３】
【特許文献１】日本特開２０１５−２２２８９７号公報
【発明の概要】
【発明が解決しようとする課題】
【０００４】
特許文献１に記載の盗撮防止装置の投光部は、乗客がいる空間に直接赤外線を出力する。このため、当該盗撮防止装置をエレベーターに適用する場合に、投光部は、かごの内側の空間に設けられる必要がある。ここで、かごの内側の空間において、機器を設置する位置などの条件に制約がある。【０００５】
本発明は、このような課題を解決するためになされた。本発明の目的は、かごの内側の空間に投光部を設ける必要がないエレベーターの盗撮防止装置を提供することである。
【課題を解決するための手段】
【０００６】
本発明に係るエレベーターの盗撮防止装置は、エレベーターのかご扉の戸閉方向の側の端部に設けられ、戸閉方向の側にパルスとして赤外線を出力する投光部と、投光部より戸閉方向の側に設けられ、かご扉が閉じているときに赤外線をかごの内側に誘導する誘導部と、を備える。【０００７】
本発明に係るエレベーターの盗撮防止装置は、エレベーターのかご扉の戸閉方向の側の端部にかご扉が閉じるときに当たる戸当たり部に設けられ、戸閉方向の反対側にパルスとして赤外線を出力する投光部と、投光部より戸閉方向の反対側に設けられ、かご扉が閉じているときに赤外線をかごの内側に誘導する誘導部と、を備える。
【発明の効果】
【０００８】
これらの発明によれば、エレベーターの盗撮防止装置は、投光部と、誘導部と、を備える。投光部は、かご扉または戸当たり部に設けられる。投光部は、戸閉方向に赤外線を出力する。誘導部は、かご扉が閉じているときに赤外線をかごの内側に誘導する。これにより、盗撮防止装置において、投光部はかごの内側の空間に設けられる必要がない。
【図面の簡単な説明】
【０００９】
【図１】実施の形態１に係る盗撮防止装置を備えたエレベーターの構成図である。
【図２】実施の形態１に係る盗撮防止装置を備えたエレベーターのかごの上面図である。
【図３】実施の形態１に係る盗撮防止装置の要部の背面図である。
【図４】実施の形態１に係る盗撮防止装置の要部の上面図である。
【図５】実施の形態１に係る盗撮防止装置の要部の上面図である。
【図６】実施の形態１に係る盗撮防止装置の要部の上面図である。
【図７】実施の形態１に係る盗撮防止装置を備えたエレベーターのかごの上面図である。
【図８】実施の形態１に係る盗撮防止装置を備えたエレベーターのかごの鉛直断面図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る盗撮防止装置を備えたエレベーターの構成図である。
【００１２】
図１において、エレベーター１は、建築物に設けられる。建築物は、複数の階を備える。昇降路２は、建築物の各階を貫く。複数の乗場３の各々は、建築物の各階に設けられる。複数の乗場３の各々は、昇降路２に対向する。複数の乗場３の各々は、一対の乗場扉４を備える。
【００１３】
エレベーター１は、かご５と、釣合オモリ６と、巻上機７と、主ロープ８と、を備える。
【００１４】
かご５は、昇降路２の内部において図示しないガイドレールに沿って昇降しうるように設けられる。かご５は、一対のかご扉９と、盗撮防止装置１０と、を備える。一対のかご扉９は、かご５が複数の階のいずれかに停止している場合に、一対の乗場扉４とともに開閉する装置である。
【００１５】
釣合オモリ６は、昇降路２の内部において図示しないガイドレールに沿って昇降しうるように設けられる。
【００１６】
巻上機７は、昇降路２の上部に設けられる。
【００１７】
主ロープ８は、巻上機７に巻き掛けられる。主ロープ８の一端は、かご５に保持される。主ロープ８の他端は、釣合オモリ６に保持される。
【００１８】
エレベーター１の運転において、主ロープ８は、巻上機７に駆動されて移動する。かご５と釣合オモリ６とは、主ロープ８の移動に追従して昇降する。かご５は、乗場３が設けられる階に停止する。かご５が乗場３に停止するときに、一対のかご扉９は、一対の乗場扉４を追従させて開く。エレベーター１の利用者は、乗場３からかご５に乗車する。一対のかご扉９は、一対の乗場扉４を追従させて閉じる。
【００１９】
続いて、図２から図４を用いて盗撮防止装置１０の構成を説明する。
図２は、実施の形態１に係る盗撮防止装置を備えたエレベーターのかごの上面図である。図３は、実施の形態１に係る盗撮防止装置の要部の背面図である。図４は、実施の形態１に係る盗撮防止装置の要部の上面図である。
【００２０】
図２において、一対のかご扉９の開いている状態が示される。紙面上方向は、かご５の前方向である。紙面左方向は、かご５の左方向である。紙面右方向は、かご５の右方向である。紙面に垂直な手前側の方向は、鉛直上方向である。
【００２１】
一対のかご扉９は、両開きの戸である。一対のかご扉９は、右かご扉９ｒと左かご扉９ｌとからなる。右かご扉９ｒは、かご５の前面の右側に設けられる。左かご扉９ｌは、かご５の前面の左側に設けられる。右かご扉９ｒの戸閉方向は、左方向である。左かご扉９ｌの戸閉方向は、右方向である。ここで、戸閉方向は、一対のかご扉９の各々がスライドして閉じる方向である。
【００２２】
右かご扉９ｒは、透過板１１を備える。透過板１１は、赤外線を透過する板である。透過板１１は、例えばアクリル板である。透過板１１は、上下方向に延びる形状である。透過板１１は、右かご扉９ｒのかごの内側の表面の一部をなす。透過板１１は、右かご扉９ｒの戸閉方向の側の端部に設けられる。
【００２３】
盗撮防止装置１０は、投光部１２と、受光部１３と、反射部１４と、誘導部１５と、を備える。
【００２４】
投光部１２は、赤外線１６を出力する装置である。投光部１２は、上下方向に延びる形状である。投光部１２は、上下方向の複数の位置に赤外線１６を出力する箇所を有する。投光部１２は、右かご扉９ｒの戸閉方向の側の端部に設けられる。投光部１２は、透過板１１より前方に設けられる。
【００２５】
赤外線１６は、投光部１２の戸閉方向の側に出力される。赤外線１６が出力される方向は、かごの前後方向に垂直な鉛直面内の方向である。赤外線１６は、投光部１２の上下方向の複数の位置から出力される。赤外線１６は、投光部１２から複数の方向に出力される。赤外線１６は、時間的にランダムなまたは擬似ランダムなパルスとして出力される。
【００２６】
受光部１３は、左かご扉９ｌの戸閉方向の側の端部に設けられる。受光部１３は、上下方向に延びる。受光部１３は、赤外線１６の受光の状態によって投光部１２との間の物体の有無を検知する装置である。赤外線１６の受光の状態は、例えば受光の有無、強度または方向を含む。投光部１２および受光部１３は、例えばマルチビームドアセンサーの装置である。
【００２７】
反射部１４は、赤外線を反射する部分である。反射部１４は、例えばシート状の赤外線反射フィルターである。反射部１４は、かご５の内側の床面および壁面に設けられる。
【００２８】
誘導部１５は、投光部１２の左側に設けられる。誘導部１５は、透過板１１の前方に設けられる。誘導部１５は、右かご扉９ｒの戸閉方向の側の端部に設けられる。
【００２９】
図３において、投光部１２および誘導部１５が示される。紙面左方向は、右かご扉９ｒの戸閉方向である。紙面上方向は、鉛直上方向である。
【００３０】
誘導部１５は、一対の取付部１７と、一対の接触板１８と、反射板１９と、を備える。
【００３１】
一対の取付部１７の一方は、投光部１２の上部に設けられる。一対の取付部１７の他方は、投光部１２の下部に設けられる。一対の取付部１７の各々は、回転軸２０を備える。回転軸２０は、取付部１７の戸閉方向の端部に設けられる。
【００３２】
一対の接触板１８の一方は、投光部１２の上部に設けられる取付部１７に、回転軸２０を介して取り付けられる。一対の接触板１８の他方は、投光部１２の下部に設けられる取付部１７に、回転軸２０を介して取り付けられる。
【００３３】
反射板１９は、一対の接触板１８の一方から他方にわたって設けられる。反射板１９は、赤外線を反射する板である。反射板１９は、例えば板状の赤外線反射フィルターである。
【００３４】
図４において、紙面左方向は、右かご扉９ｒの戸閉方向である。紙面上方向は、かご５の前方向である。
【００３５】
一対の取付部１７の各々は、投光部１２の前面に設けられる。
【００３６】
一対の接触板１８の各々は、回転軸２０のまわりに回転可能に設けられる。一対の接触板１８の各々の投光部１２の側の辺は、回転軸２０を起点としてかご５の内側の方向および投光部１２の側の方向の間の４５度の方向に延びる。一対の接触板１８の各々は、かご扉９が閉じている場合に戸閉方向の側の辺が受光部１３に接触する位置に設けられる。一対の接触板１８の各々の戸閉方向の側の辺は、戸閉方向の側に湾曲する。
【００３７】
回転軸２０は、図示されないねじりバネを有する。ねじりバネは、投光部１２が出力する赤外線を受けない向きに反射板１９を向ける。例えば、ねじりバネは、右かご扉９ｒの戸閉方向と平行になる向きに反射板１９を向ける。
【００３８】
反射板１９は、回転軸２０からかご５の後方の側に距離をあけて設けられる。反射板１９は、赤外線を拡散させて反射させる構造を有する。例えば、反射板１９は、投光部に向けて湾曲する凸な構造の反射面を有する。あるいは、反射板１９は、平坦な反射面の投光部の側に凹レンズを有する。反射板１９は、微細な凹凸を持つ反射面を有してもよい。
【００３９】
続いて、図５から図８を用いて、実施の形態１に係る盗撮防止装置の動作を説明する。
図５および図６は、実施の形態１に係る盗撮防止装置の要部の上面図である。図７は、実施の形態１に係る盗撮防止装置を備えたエレベーターのかごの上面図である。図８は、実施の形態１に係る盗撮防止装置を備えたエレベーターのかごの鉛直断面図である。
【００４０】
図５において、一対のかご扉９が開いている状態が示される。紙面左方向は、右かご扉９ｒの戸閉方向である。紙面上方向は、かご５の前方向である。
【００４１】
投光部１２は、上下方向の複数の箇所から戸閉方向の側に赤外線１６を出力する。投光部１２は、時間的にランダムまたは擬似ランダムなパルスとして赤外線１６を出力する。
【００４２】
反射板１９は、回転軸２０のねじりバネによって、右かご扉９ｒの戸閉方向と平行になる向きに向けられる。このとき、反射板１９は、投光部１２が出力する赤外線１６を受けない。赤外線１６は、戸閉方向の側に進行する。すなわち、反射板１９は、赤外線１６をかご５の内側に誘導しない。
【００４３】
図５に図示されない受光部１３は、赤外線１６を受光する。受光部１３は、赤外線１６の受光の状態によって投光部１２との間の物体の有無を検知する。投光部１２が出力する赤外線１６が遮られずに受光される場合に、受光部１３は、投光部１２との間に物体がないことを検知する。一方、投光部１２が出力する赤外線１６の少なくとも一部が遮られる場合に、受光部１３は、投光部１２との間に物体があることを検知する。このとき、一対のかご扉９は、開いている状態を維持する。なお、一対のかご扉９が閉じる動作を行っているときに受光部１３が投光部１２との間に物体があることを検知した場合に、一対のかご扉９は、開く動作を行う。
【００４４】
図６において、一対のかご扉９が閉じている状態が示される。紙面左方向は、右かご扉９ｒの戸閉方向である。紙面上方向は、かご５の前方向である。
【００４５】
一対のかご扉９が閉じる動作を行うときに、図６に図示されない受光部１３は、左かご扉９ｌとともに左かご扉９ｌの戸閉方向に動く。このとき、投光部１２および誘導部１５は、右かご扉９ｒとともに右かご扉９ｒの戸閉方向に動く。一対のかご扉９が閉じるときに、接触板１８は、受光部１３に接触する。受光部１３は、接触板１８を押して回転軸２０のねじりバネの弾性力に抗しながら反射板１９を回転させる。反射板１９は、回転によって投光部１２が出力する赤外線１６を受ける位置に移動する。
【００４６】
投光部１２は、一対のかご扉９が開いている場合と同様に、戸閉方向の側に赤外線１６を出力する。赤外線１６は、反射板１９によってかご５の内側に向けて反射する。赤外線１６の反射光２１は、反射板１９によって拡散される。
【００４７】
図７において、一対のかご扉９が閉じている状態が示される。紙面上方向は、かご５の前方向である。紙面左方向は、かご５の左方向である。紙面右方向は、かご５の右方向である。
【００４８】
反射光２１は、透過板１１を透過してかご５の内側に誘導される。反射光２１は、かご５の壁面に設けられる反射部１４によって反射される。
【００４９】
図８において、一対のかご扉９が閉じている状態が示される。紙面下方向は、かご５の下方向である。
【００５０】
反射光２１は、反射板１９によって下方を含む方向に向けて拡散される。反射光２１は、かご５の床面に設けられる反射部１４によって反射される。
【００５１】
以上に説明したように、実施の形態１に係る盗撮防止装置１０は、投光部１２と、誘導部１５と、を備える。投光部１２は、エレベーター１の右かご扉９ｒの戸閉方向の側の端部に設けられる。投光部１２は、戸閉方向の側にパルスとして赤外線１６を出力する。誘導部１５は、投光部１２より戸閉方向の側に設けられる。誘導部１５は、一対のかご扉９が閉じているときに赤外線１６を一対のかご扉９が設けられるかご５の内側に誘導する。このため、投光部１２は、かごの内側の空間に設けられる必要がない。エレベーター１において、乗客は、混雑時などにかご５の内側の空間に密集して乗車しうる。このため、かご５の内側の空間において、機器を設置する位置などの条件に制約がある。一方、実施の形態１に係る盗撮防止装置１０は、当該制約を考慮する必要がない。
【００５２】
投光部１２は、パルスとして赤外線１６を出力することで、盗撮される画像にノイズを発生させる。投光部は、ノイズを発生させて画像の品質を劣化させることで、盗撮された画像の二次流出を防止できる。また、盗撮者の盗撮行為に対する意欲を減退させることで、盗撮が行われることが抑止される。ここで、撮影機器は、赤外線に感度を持つ。赤外線は不可視光であるため、乗客に視認されない。このため、乗客にパルスが視認されることで不快感を与えない。
【００５３】
赤外線１６は、右かご扉９ｒの端部からかご５の内部に誘導される。一対のかご扉９の付近において、他の乗客の出入が多いため、乗客は立ち止まりにくい。このため、赤外線１６の反射光２１が乗客によって遮蔽されにくい。
【００５４】
また、投光部１２は、ランダムまたは擬似ランダムなパルスとして赤外線１６を出力する。フレームレートなどの動画撮影の仕様は、撮影に用いられる機器によって異なる場合がある。このとき、盗撮防止装置１０は、撮影に用いられる機器の動画撮影の仕様によらずに、盗撮される画像にノイズを発生させることができる。
【００５５】
また、盗撮防止装置１０は、受光部１３を備える。受光部１３は、投光部１２に対して投光部が赤外線１６を出力する側に設けられる。受光部１３は、一対のかご扉９が開いているときに赤外線１６の受光の状態によって投光部１２との間の物体の有無を検知する。誘導部１５は、一対のかご扉９が開いているときに赤外線１６をかご５の内側に誘導しない。
【００５６】
受光部１３が投光部１２との間に物体があると検知する場合に、一対のかご扉９は、閉じない。すなわち、投光部１２と受光部１３とは、マルチビームドアセンサーの装置として動作する。これにより、一対のかご扉９に物体が挟まれることが防止される。
【００５７】
誘導部１５は、一対のかご扉９の開閉に応じて赤外線１６の誘導を切り替える。このため、物体の検知に用いる赤外線源と、盗撮の防止に用いる赤外線源と、を別個に備える必要がない。これにより、エレベーター１の構成が簡単になる。特に、例えばマルチビームドアセンサーの装置として投光部１２と受光部１３とが既にエレベーターに設けられている場合に、赤外線源を新たに設けることなく盗撮防止装置１０を構成できる。
【００５８】
また、誘導部１５は、赤外線１６を反射可能な反射板１９を備える。誘導部１５は、一対のかご扉９が閉じるときに受光部１３および投光部１２の間で押されることで、赤外線１６をかご５の内側に反射させる向きに反射板１９を回転させる。
【００５９】
誘導部１５による赤外線１６の誘導は、一対のかご扉９の開閉の動作によって切り替えられる。これにより、誘導部１５は、専用の駆動部を必要としない。このため、盗撮防止装置１０の構成が簡単になる。
【００６０】
また、反射板１９は、赤外線１６を反射させるときに赤外線を拡散させる。赤外線１６の反射光２１は、拡散によって広い範囲に伝播する。このため、かご５の内部の乗客などによって反射光２１が遮蔽されにくい。
【００６１】
また、誘導部１５は、例えば拡散によって、下方を含む方向に向けて赤外線１６を誘導する。例えば女性の乗客が着用しているスカートの中が盗撮される場合に、撮影に用いられる機器は、上方に向けられる。このとき、赤外線１６の反射光２１は、当該機器に向けて誘導される。このため、盗撮される画像に効果的にノイズを発生させることができる。
【００６２】
また、盗撮防止装置１０は、反射部１４を備える。反射部１４は、かご５の内側の面の少なくとも一部に設けられる。反射部１４は、赤外線１６の反射光２１を反射可能である。
【００６３】
反射光２１は、反射によって広い範囲に、複数の方向から伝播する。このため、かご５の内部の乗客などによって反射光２１が遮蔽されにくい。かごの内側の空間に多数の赤外線源を設けることなく、複数の方向から赤外線を伝播させることができる。
【００６４】
なお、かご５の内側にディスプレイなどの情報を表示する装置がある場合に、当該装置は、盗撮防止装置１０が動作していることを表示してもよい。乗客は、盗撮行為に対して不安を抱くことなく、安心してエレベーター１を利用できる。また、盗撮者の盗撮行為に対する意欲を減退させることで、盗撮が行われることが抑止される。
【００６５】
反射板１９は、赤外線を反射させる面を下方に傾けて設けられてもよい。このとき、誘導部１５は、下方に傾く複数の反射板を備えてもよい。
【００６６】
投光部１２は、左かご扉９ｌに設けられてもよい。このとき、盗撮防止装置１０が受光部１３を備える場合に、受光部１３は、右かご扉９ｒに設けられる。誘導部１５は、投光部１２より左かご扉９ｌの戸閉方向の側に設けられる。すなわち、誘導部１５は、投光部１２が赤外線を出力する側に設けられる。誘導部１５は、受光部１３に設けられてもよい。
【００６７】
かご扉は、片開きの戸であってもよい。かごは、戸当たり部を備える。戸当たり部は、戸閉方向にスライドして閉じるかご扉の戸閉方向の側の端部に、かご扉が閉じるときに当たる部分である。投光部１２は、かご扉の戸閉方向の側の端部に設けられる。また、盗撮防止装置１０が受光部１３を備える場合に、受光部１３は、戸当たり部に設けられる。
【００６８】
なお、投光部１２は、戸当たり部に設けられてもよい。このとき、投光部１２は、かご扉の戸閉方向の反対側にパルスとして赤外線を出力する。また、盗撮防止装置１０が受光部１３を備える場合に、受光部１３は、かご扉の戸閉方向の側の端部に設けられる。誘導部１５は、投光部１２より戸閉方向の反対側に設けられる。すなわち、誘導部１５は、投光部１２が赤外線を出力する側に設けられる。誘導部１５は、投光部１２または受光部１３の少なくとも一方に設けられる。
【産業上の利用可能性】
【００６９】
本発明に係る盗撮防止装置は、エレベーターに適用できる。
【符号の説明】
【００７０】
１  エレベーター、  ２  昇降路、  ３  乗場、  ４  乗場扉、  ５  かご、  ６  釣合オモリ、  ７  巻上機、  ８  主ロープ、  ９  かご扉、  ９ｌ  左かご扉、  ９ｒ  右かご扉、  １０  盗撮防止装置、  １１  透過板、  １２  投光部、  １３  受光部、  １４  反射部、  １５  誘導部、  １６  赤外線、  １７  取付部、  １８  接触板、  １９  反射板、  ２０  回転軸、  ２１  反射光
【図１】
2019224926.tif 000003
【図２】
2019224926.tif 000004
【図３】
2019224926.tif 000005
【図４】
2019224926.tif 000006
【図５】
2019224926.tif 000007
【図６】
2019224926.tif 000008
【図７】
2019224926.tif 000009
【図８】
2019224926.tif 000010
【国際調査報告】
2019224926.tif 000011
2019224926.tif 000012
2019224926.tif 000013
2019224926.tif 000014